(57)【要約】【課題】画面を遷移することなく、簡便にショートカットアイコンを登録する。【解決手段】機能の設定項目に対応する画面への遷移を指示するショートカットアイコンを登録する登録部と、画面に設定項目を設定可能に表示する設定領域とショートカットアイコンを表示するアイコン表示領域を表示し、アイコン表示領域に登録済みのショートカットアイコンと未登録のショートカットアイコンを表示する表示制御部と、を設け、表示制御部は、未登録のショートカットアイコンが選択されたら、画面に、未登録のショートカットアイコンに登録可能な設定項目の一覧を表示し、登録部は、一覧の中から設定項目が選択されたら、選択された未登録のショートカットアイコンと選択された設定項目とを対応付けて登録し、表示制御部は、選択された未登録のショートカットアイコンに、選択された設定項目を識別可能にする情報を付加する。【選択図】図５
2019070937.tif 000002
【特許請求の範囲】
【請求項１】
表示部に表示する画面を遷移して、複数の機能の設定項目を設定する制御装置であって、
機能の設定項目に対応する画面への遷移を指示するショートカットアイコンを登録する登録部と、
前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する表示制御部と、を備え、
前記表示制御部は、前記未登録のショートカットアイコンが選択されたら、前記画面に、前記未登録のショートカットアイコンに登録可能な設定項目の一覧を表示し、
前記登録部は、前記一覧の中から設定項目が選択されたら、選択された前記未登録のショートカットアイコンと、選択された前記設定項目と、を対応付けて登録し、
前記表示制御部は、選択された前記未登録のショートカットアイコンに、選択された前記設定項目を識別可能にする情報を付加する、
ことを特徴とする制御装置。
【請求項２】
前記表示制御部は、前記未登録のショートカットアイコンが選択された時に表示されている前記画面の種類に応じて、前記一覧に表示する設定項目を変更する、
ことを特徴とする請求項１に記載の制御装置。
【請求項３】
前記表示制御部は、前記画面の種類に基づいて、前記未登録のショートカットアイコンに登録可能な設定項目の中から一部の設定項目を抽出し、前記一覧に、抽出した前記一部の設定項目を表示する、
ことを特徴とする請求項２に記載の制御装置。
【請求項４】
前記表示制御部は、前記一覧に、前記未登録のショートカットアイコンが選択された時に表示されている前記画面に応じた設定項目と、前記画面によらずに登録可能な設定項目と、を表示する、
ことを特徴とする請求項２又は３に記載の制御装置。
【請求項５】
前記登録部は、選択された前記未登録のショートカットアイコンと、前記未登録のショートカットアイコンが選択された時に表示されている前記画面の種類と、選択された前記設定項目と、を対応付けて登録し、
前記表示制御部は、機能に対応する前記画面毎に、前記アイコン表示領域に表示するショートカットアイコンを変更する、
ことを特徴とする請求項１乃至４のいずれか一に記載の制御装置。
【請求項６】
前記表示制御部は、所定の機能の設定項目に対応付けて登録されたショートカットアイコンは、前記所定の機能に対応する画面が表示されている時は、前記登録済みのショートカットアイコンとして表示し、前記所定の機能以外の機能に対応する画面が表示されている時は、前記未登録のショートカットアイコンとして表示する、
ことを特徴とする請求項５に記載の制御装置。
【請求項７】
前記表示制御部は、前記一覧に、選択された前記未登録のショートカットアイコンの近傍に表示されている前記登録済みのショートカットアイコンに対応付けて登録されている設定項目に関連する設定項目を表示する、
ことを特徴とする請求項１乃至６のいずれか一に記載の制御装置。
【請求項８】
表示部に表示する画面を遷移して、複数の機能の設定項目を設定する装置における、機能の設定項目に対応する画面への遷移を指示するショートカットアイコンを登録するショートカットアイコン登録方法であって、
前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する第１処理と、
前記未登録のショートカットアイコンが選択されたら、前記画面に、前記未登録のショートカットアイコンに登録可能な設定項目の一覧を表示する第２処理と、
前記一覧の中から設定項目が選択されたら、選択された前記未登録のショートカットアイコンと、選択された前記設定項目と、を対応付けて登録する第３処理と、
選択された前記未登録のショートカットアイコンに、選択された前記設定項目を識別可能にする情報を付加する第４処理と、を実行する、
ことを特徴とするショートカットアイコン登録方法。
【請求項９】
前記第２処理では、前記未登録のショートカットアイコンが選択された時に表示されている前記画面の種類に応じて、前記一覧に表示する設定項目を変更する、
ことを特徴とする請求項８に記載のショートカットアイコン登録方法。
【請求項１０】
前記第２処理では、前記画面の種類に基づいて、前記未登録のショートカットアイコンに登録可能な設定項目の中から一部の設定項目を抽出し、前記一覧に、抽出した前記一部の設定項目を表示する、
ことを特徴とする請求項９に記載のショートカットアイコン登録方法。
【請求項１１】
前記第２処理では、前記一覧に、前記未登録のショートカットアイコンが選択された時に表示されている前記画面に応じた設定項目と、前記画面によらずに登録可能な設定項目と、を表示する、
ことを特徴とする請求項９又は１０に記載のショートカットアイコン登録方法。
【請求項１２】
前記第３処理では、選択された前記未登録のショートカットアイコンと、前記未登録のショートカットアイコンが選択された時に表示されている前記画面の種類と、選択された前記設定項目と、を対応付けて登録し、
その後の前記第１処理では、機能に対応する前記画面毎に、前記アイコン表示領域に表示するショートカットアイコンを変更する、
ことを特徴とする請求項８乃至１１のいずれか一に記載のショートカットアイコン登録方法。
【請求項１３】
前記第１処理では、所定の機能の設定項目に対応付けて登録されたショートカットアイコンは、前記所定の機能に対応する画面が表示されている時は、前記登録済みのショートカットアイコンとして表示し、前記所定の機能以外の機能に対応する画面が表示されている時は、前記未登録のショートカットアイコンとして表示する、
ことを特徴とする請求項１２に記載のショートカットアイコン登録方法。
【請求項１４】
前記第２処理では、前記一覧に、選択された前記未登録のショートカットアイコンの近傍に表示されている前記登録済みのショートカットアイコンに対応付けて登録されている設定項目に関連する設定項目を表示する、
ことを特徴とする請求項８乃至１３のいずれか一に記載のショートカットアイコン登録方法。
【請求項１５】
表示部に表示する画面を遷移して、複数の機能の設定項目を設定する装置で動作する、機能の設定項目に対応する画面への遷移を指示するショートカットアイコンの登録を制御するショートカットアイコン登録制御プログラムであって、
前記装置に、
前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する第１処理、
前記未登録のショートカットアイコンが選択されたら、前記画面に、前記未登録のショートカットアイコンに登録可能な設定項目の一覧を表示する第２処理、
前記一覧の中から設定項目が選択されたら、選択された前記未登録のショートカットアイコンと、選択された前記設定項目と、を対応付けて登録する第３処理、
選択された前記未登録のショートカットアイコンに、選択された前記設定項目を識別可能にする情報を付加する第４処理、を実行させる、
ことを特徴とするショートカットアイコン登録制御プログラム。
【請求項１６】
前記第２処理では、前記未登録のショートカットアイコンが選択された時に表示されている前記画面の種類に応じて、前記一覧に表示する設定項目を変更する、
ことを特徴とする請求項１５に記載のショートカットアイコン登録制御プログラム。
【請求項１７】
前記第２処理では、前記画面の種類に基づいて、前記未登録のショートカットアイコンに登録可能な設定項目の中から一部の設定項目を抽出し、前記一覧に、抽出した前記一部の設定項目を表示する、
ことを特徴とする請求項１６に記載のショートカットアイコン登録制御プログラム。
【請求項１８】
前記第２処理では、前記一覧に、前記未登録のショートカットアイコンが選択された時に表示されている前記画面に応じた設定項目と、前記画面によらずに登録可能な設定項目と、を表示する、
ことを特徴とする請求項１６又は１７に記載のショートカットアイコン登録制御プログラム。
【請求項１９】
前記第３処理では、選択された前記未登録のショートカットアイコンと、前記未登録のショートカットアイコンが選択された時に表示されている前記画面の種類と、選択された前記設定項目と、を対応付けて登録し、
その後の前記第１処理では、機能に対応する前記画面毎に、前記アイコン表示領域に表示するショートカットアイコンを変更する、
ことを特徴とする請求項１５乃至１８のいずれか一に記載のショートカットアイコン登録制御プログラム。
【請求項２０】
前記第１処理では、所定の機能の設定項目に対応付けて登録されたショートカットアイコンは、前記所定の機能に対応する画面が表示されている時は、前記登録済みのショートカットアイコンとして表示し、前記所定の機能以外の機能に対応する画面が表示されている時は、前記未登録のショートカットアイコンとして表示する、
ことを特徴とする請求項１９に記載のショートカットアイコン登録制御プログラム。
【請求項２１】
前記第２処理では、前記一覧に、選択された前記未登録のショートカットアイコンの近傍に表示されている前記登録済みのショートカットアイコンに対応付けて登録されている設定項目に関連する設定項目を表示する、
ことを特徴とする請求項１５乃至２０のいずれか一に記載のショートカットアイコン登録制御プログラム。
【発明の詳細な説明】
【技術分野】
【０００１】
本発明は、制御装置、ショートカットアイコン登録方法及びショートカットアイコン登録制御プログラムに関し、特に、画面を遷移して複数の機能の設定項目を設定する制御装置、機能の設定項目に対応する画面への遷移を指示するショートカットアイコンを登録するショートカットアイコン登録方法及びショートカットアイコンの登録を制御するショートカットアイコン登録制御プログラムに関する。
【背景技術】
【０００２】
複数の機能を備える装置では、各機能の各設定項目に対応する画面を表示し、画面を遷移して設定項目を設定し、その設定に従って複数の機能を実行させる。その際、複数の機能の設定操作を容易にするために、各機能の各設定項目に対応する画面への遷移を指示するショートカットアイコンが利用されている。
【０００３】
このショートカットアイコンを登録する方法として、ショートカットアイコンを登録するための設定画面を利用する方法がある。例えば、下記特許文献１には、表示手段と、各種機能を実現する複数のプログラムを記憶する記憶手段と、各プログラムの起動を指示する複数の指示アイコンを設定する設定手段と、前記設定手段に設定された複数の指示アイコンの表示を指示する表示指示手段と、前記表示指示手段による表示指示に応じて、前記設定手段に設定された複数の指示アイコンを前記表示手段に表示させるとともに、表示させた複数の指示アイコンを所定時間が経過すると非表示にする表示制御手段と、を備える電子機器が開示されており、ショートカット設定が選択されたら設定画面を表示し、当該設定画面でショートカットの設定を行うことが記載されている。
【０００４】
この方法の場合、ショートカットアイコンを登録する度に設定画面に遷移しなければならないため、ショートカットアイコンの登録に手間がかかるという問題がある。この問題を解決するために、はが提案されている。例えば、下記特許文献２には、ショートカット登録領域のアイコンを操作することにより当該アイコンに対応して記憶された装置動作状態を再現するショートカット機能におけるアイコン登録方法であって、装置動作状態が記憶されていない空アイコンの操作により、該操作時点における装置動作状態が該アイコンに対応して記憶され、装置動作状態が記憶されている実アイコンの操作により、該アイコンに対応して記憶された装置動作状態を再現するショートカットアイコン登録方法が開示されている。
【先行技術文献】
【特許文献】
【０００５】
【特許文献１】特開２００４−１３２７４０号公報
【特許文献２】特開２０１２−１２３４７７号公報
【発明の概要】
【発明が解決しようとする課題】
【０００６】
しかしながら、空アイコンを押下した時の画面をショートカット登録する方法を利用したとしても、ショートカットアイコンを登録するためには、その都度、ショートカット登録したい画面まで遷移しなければならず、やはり、ショートカットアイコンの登録に手間がかかるという問題がある。
【０００７】
本発明は、上記問題点に鑑みてなされたものであって、その主たる目的は、画面を遷移することなく、簡便にショートカットアイコンを登録することができる制御装置、ショートカットアイコン登録方法及びショートカットアイコン登録制御プログラムを提供することにある。
【課題を解決するための手段】
【０００８】
本発明の一側面は、表示部に表示する画面を遷移して、複数の機能の設定項目を設定する制御装置であって、機能の設定項目に対応する画面への遷移を指示するショートカットアイコンを登録する登録部と、前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する表示制御部と、を備え、前記表示制御部は、前記未登録のショートカットアイコンが選択されたら、前記画面に、前記未登録のショートカットアイコンに登録可能な設定項目の一覧を表示し、前記登録部は、前記一覧の中から設定項目が選択されたら、選択された前記未登録のショートカットアイコンと、選択された前記設定項目と、を対応付けて登録し、前記表示制御部は、選択された前記未登録のショートカットアイコンに、選択された前記設定項目を識別可能にする情報を付加することを特徴とする。
【０００９】
本発明の一側面は、表示部に表示する画面を遷移して、複数の機能の設定項目を設定する装置における、機能の設定項目に対応する画面への遷移を指示するショートカットアイコンを登録するショートカットアイコン登録方法であって、前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する第１処理と、前記未登録のショートカットアイコンが選択されたら、前記画面に、前記未登録のショートカットアイコンに登録可能な設定項目の一覧を表示する第２処理と、前記一覧の中から設定項目が選択されたら、選択された前記未登録のショートカットアイコンと、選択された前記設定項目と、を対応付けて登録する第３処理と、選択された前記未登録のショートカットアイコンに、選択された前記設定項目を識別可能にする情報を付加する第４処理と、を実行することを特徴とする。
【００１０】
本発明の一側面は、表示部に表示する画面を遷移して、複数の機能の設定項目を設定する装置で動作する、機能の設定項目に対応する画面への遷移を指示するショートカットアイコンの登録を制御するショートカットアイコン登録制御プログラムであって、前記装置に、前記画面に、前記設定項目を設定可能に表示する設定領域と、前記ショートカットアイコンを選択可能に表示するアイコン表示領域と、を表示し、前記アイコン表示領域に、登録済みのショートカットアイコンに加えて未登録のショートカットアイコンを表示する第１処理、前記未登録のショートカットアイコンが選択されたら、前記画面に、前記未登録のショートカットアイコンに登録可能な設定項目の一覧を表示する第２処理、前記一覧の中から設定項目が選択されたら、選択された前記未登録のショートカットアイコンと、選択された前記設定項目と、を対応付けて登録する第３処理、選択された前記未登録のショートカットアイコンに、選択された前記設定項目を識別可能にする情報を付加する第４処理、を実行させることを特徴とする。
【発明の効果】
【００１１】
本発明の制御装置、ショートカットアイコン登録方法及びショートカットアイコン登録制御プログラムによれば、画面を遷移することなく、簡便にショートカットアイコンを登録することができる。
【００１２】
その理由は、制御装置に、各々の機能の各々の設定項目に対応する画面への遷移を指示するショートカットアイコンを登録する登録部と、画面に、設定項目を設定可能に表示する設定領域と、ショートカットアイコンを表示するアイコン表示領域と、を表示し、アイコン表示領域に、登録済みのショートカットアイコンに加えて未登録のショートカットアイコンを表示する表示制御部と、を設け、表示制御部は、未登録のショートカットアイコンが選択されたら、画面に、未登録のショートカットアイコンに登録可能な設定項目の一覧を表示し、登録部は、一覧の中から設定項目が選択されたら、選択された未登録のショートカットアイコンと選択された設定項目とを対応付けて登録し、表示制御部は、選択された未登録のショートカットアイコンに、選択された設定項目を識別可能にする情報を付加するからである。
【図面の簡単な説明】
【００１３】
【図１】本発明の第１の実施例に係る印刷システムの構成を模式的に示す図である。
【図２】本発明の第１の実施例に係る印刷システムの他の構成を模式的に示す図である。
【図３】本発明の第１の実施例に係るクライアント装置の構成を示すブロック図である。
【図４】本発明の第１の実施例に係る画像形成装置の構成を示すブロック図である。
【図５】本発明の第１の実施例に係る画像形成装置の動作を示すフローチャート図である。
【図６】本発明の第１の実施例に係る画像形成装置に表示される画面の一例である。
【図７】本発明の第１の実施例に係る画像形成装置に表示される画面（設定項目選択時）の一例である。
【図８】本発明の第１の実施例に係る画像形成装置に表示されるコピー画面（アイコン登録時）の一例である。
【図９】本発明の第２の実施例に係る画像形成装置の動作を示すフローチャート図である。
【図１０】本発明の第２の実施例に係る画像形成装置に表示されるコピー画面（空アイコン選択時）の一例である。
【図１１】本発明の第２の実施例に係る画像形成装置に表示されるコピー画面（設定項目の一覧表示時）の一例である。
【図１２】本発明の第２の実施例に係る画像形成装置に表示されるコピー画面（設定項目選択時）の一例である。
【図１３】本発明の第２の実施例に係る画像形成装置に表示されるコピー画面（アイコン登録時）の一例である。
【図１４】本発明の第３の実施例に係る画像形成装置の動作を示すフローチャート図である。
【図１５】本発明の第３の実施例に係る画像形成装置の動作を示すフローチャート図である。
【図１６】本発明の第３の実施例に係るアイコン配置図の一例である。
【図１７】本発明の第３の実施例に係るアイコンと画面の種類と設定項目とを対応付けるテーブル（コピー画面でのアイコン登録後）の一例である。
【図１８】本発明の第３の実施例に係る画像形成装置に表示されるスキャン画面の一例である。
【図１９】本発明の第３の実施例に係る画像形成装置に表示されるスキャン画面（空アイコン選択時）の一例である。
【図２０】本発明の第３の実施例に係る画像形成装置に表示されるスキャン画面（設定項目選択時）の一例である。
【図２１】本発明の第３の実施例に係る画像形成装置に表示されるスキャン画面（アイコン登録時）の一例である。
【図２２】本発明の第３の実施例に係るアイコンと画面に種類と設定項目とを対応付けるテーブル（スキャン画面でのアイコン登録後）の一例である。
【図２３】本発明の第４の実施例に係る画像形成装置に表示されるスキャン画面（空アイコン選択時）の一例である。
【図２４】本発明の第４の実施例に係る画像形成装置に表示されるスキャン画面（設定項目の一覧表示時）の一例である。
【発明を実施するための形態】
【００１４】
背景技術で示したように、ショートカットアイコンを登録する方法として、ショートカットアイコンを登録するための設定画面を利用する方法があるが、この方法の場合、ショートカットアイコンを登録する度に設定画面に遷移しなければならないため、ショートカットアイコンの登録に手間がかかる。また、別の方法として、空のショートカットアイコンを押下した時の画面をショートカット登録する方法もあるが、この方法でも、ショートカットアイコンを登録するためには、その都度、ショートカット登録したい画面まで遷移しなければならず、やはり、ショートカットアイコンの登録に手間がかかる。
【００１５】
特に、印刷装置には、コピー／スキャン／ＦＡＸなどの多数の機能があり、各々の機能を動作させるためには、多数の機能の多数の設定項目を設定する必要があるため、画面遷移が複雑になり、ショートカット登録したい画面までたどり着くのに時間がかかる。
【００１６】
そこで、本発明の一実施の形態では、直観的かつ簡易な操作でショートカットアイコンの登録が行えるようにする。具体的には、表示部に表示する画面を遷移して、複数の機能の設定項目を設定する制御装置に、各々の機能の各々の設定項目に対応する画面への遷移を指示するショートカットアイコンを登録する登録部と、画面に、設定項目を設定可能に表示する設定領域と、ショートカットアイコンを表示するアイコン表示領域と、を表示し、アイコン表示領域に、登録済みのショートカットアイコンに加えて未登録のショートカットアイコンを表示する表示制御部と、を設け、表示制御部は、未登録のショートカットアイコンが選択されたら、画面に、未登録のショートカットアイコンに登録可能な設定項目の一覧を表示し、登録部は、一覧の中から設定項目が選択されたら、選択された未登録のショートカットアイコンと選択された設定項目とを対応付けて登録し、表示制御部は、選択された未登録のショートカットアイコンに、選択された設定項目を識別可能にする情報を付加する。
【００１７】
このように、アイコン表示領域に、登録済みのショートカットアイコンに加えて、未登録のショートカットアイコンを選択可能に表示し、未登録のショートカットアイコンが選択されたら、登録可能な設定項目の一覧を表示することにより、ショートカットアイコンを登録するための設定画面やショートカット登録したい画面に遷移する必要がなくなるため、手間をかけずにショートカットアイコンの登録を行うことができる。
【００１８】
以下、ショートカットアイコンの登録を行う分野として、複数の基本機能があり、各々の基本機能に複数の詳細機能があり、機能に関する設定を行うために、多数の画面を遷移する必要がある印刷分野を前提として説明する。また、以下では、登録済みのショートカットアイコンを単にアイコンと呼び、未登録のショートカットアイコンを空アイコンと呼ぶ。
【実施例１】
【００１９】
まず、本発明の第１の実施例に係る制御装置、ショートカットアイコン登録方法及びショートカットアイコン登録制御プログラムについて、図１乃至図８を参照して説明する。図１及び図２は、本実施例の印刷システムの構成を模式的に示す図であり、図３は、クライアント装置の構成を示すブロック図、図４は、画像形成装置の構成を示すブロック図である。また、図５は、本実施例の画像形成装置の動作を示すフローチャート図であり、図６乃至図８は、本実施例の画像形成装置に表示される画面の一例である。
【００２０】
図１に示すように、本実施例の印刷システムは、イントラネット上に、通信ネットワーク４０で接続可能なクライアント装置１０と画像形成装置２０とがそれぞれ配置される。なお、図１では、印刷システムをクライアント装置１０と画像形成装置２０とで構成しているが、図２に示すように、画像形成装置２０を制御するコントローラ５０を備える構成としてもよい。上記通信ネットワーク４０の規格としてEthernet（登録商標）などを用いることができるが、コントローラ５０から画像形成装置２０へのデータ転送はEthernet（登録商標）以外にもIEEE1394、Parallelなどを用いることも可能である。以下、図１の構成を前提にして、各装置について詳細に説明する。
【００２１】
［クライアント装置］
クライアント装置１０は、パーソナルコンピュータなどのコンピュータ装置であり、図３（ａ）に示すように、制御部１１と記憶部１５とネットワークＩ／Ｆ部１６と表示部１７と操作部１８などで構成される。
【００２２】
制御部１１は、ＣＰＵ（Central Processing Unit）１２と、ＲＯＭ（Read Only Memory）１３やＲＡＭ（Random Access Memory）１４などのメモリとで構成され、これらはバスを介して接続されている。ＣＰＵ１２は、ＲＯＭ１３や記憶部１５からプログラムを読み出し、ＲＡＭ１４に展開して実行することにより、クライアント装置１０の全体制御を行う。
【００２３】
また、図３（ｂ）に示すように、上記制御部１１（ＣＰＵ１２）により、ＯＳ（Operating System）１１ａ、アプリケーション１１ｂ、プリンタドライバ１１ｃなどが実行される。
【００２４】
ＯＳ１１ａは、Windows（登録商標）やmacOS（登録商標）、Android（登録商標）などであり、クライアント装置１０でアプリケーション１１ｂやプリンタドライバ１１ｃを動作可能にする。
【００２５】
アプリケーション１１ｂは、文書作成や表計算、画像加工などを行うソフトウェアであり、印刷指示の際にプリンタドライバ１１ｃを読み出し、アプリケーション１１ｂで作成した原稿データをプリンタドライバ１１ｃに転送する。
【００２６】
プリンタドライバ１１ｃは、アプリケーション１１ｂで作成した原稿データを、画像形成装置２０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換する。このプリンタドライバ１１ｃは、画像形成装置２０の機能を利用して印刷処理を実行させるための印刷設定画面を表示部１７に表示させるが、プリンタドライバ１１ｃに、後述する画像形成装置２０の制御部（登録部及び表示制御部）の機能を持たせて、本発明のショートカットアイコン登録制御を実現してもよい。
【００２７】
記憶部１５は、ＨＤＤやＳＳＤ（Solid State Drive）などで構成され、ＣＰＵ１２が各部を制御するためのプログラム、プログラムの実行に必要なデータ、原稿データ、印刷ジョブなどを格納する。
【００２８】
ネットワークＩ／Ｆ部１６は、ＮＩＣ（Network Interface Card）やモデムなどで構成され、クライアント装置１０を通信ネットワーク４０に接続し、画像形成装置２０に印刷ジョブを送信可能にする。
【００２９】
表示部１７は、ＬＣＤ（Liquid Crystal Display）や有機ＥＬ（Electro Luminescence）ディスプレイなどで構成され、アプリケーション１１ｂの原稿作成画面、プリンタドライバ１１ｃの印刷設定画面などを表示する。操作部１８は、キーボードやマウス、表示部１７と一体となったタッチセンサなどで構成され、原稿の作成、印刷条件の設定などの操作を可能にする。
【００３０】
［画像形成装置］
画像形成装置２０は、ＭＦＰ（Multi-Functional Peripherals）などの印刷装置であり、図４（ａ）に示すように、制御部２１と記憶部２５とネットワークＩ／Ｆ部２６とＦＡＸ送受信部２７と表示操作部２８と画像処理部２９と画像読取部３０と画像形成部３１と後処理部３２などで構成される。
【００３１】
制御部２１は、ＣＰＵ２２とＲＯＭ２３やＲＡＭ２４などのメモリとで構成され、これらはバスを介して接続されている。ＣＰＵ２２は、ＲＯＭ２３や記憶部２５からプログラムを読み出し、ＲＡＭ２４に展開して実行することにより、画像形成装置２０の全体制御を行う。
【００３２】
上記制御部２１は、画面を遷移して、複数の機能の設定項目を設定する制御装置として機能する。具体的には、制御部２１は、図４（ｂ）に示すように、登録部２１ａ、表示制御部２１ｂなどとして機能する。
【００３３】
登録部２１ａは、画像形成装置２０の各々の機能の各々の設定項目に対応する画面への遷移を指示するショートカットアイコンを登録する。具体的には、表示操作部２８から出力される信号に基づいて、後述する設定項目の一覧の中から設定項目が選択されたかを判断し、一覧の中から設定項目が選択されたら、後述するアイコン表示領域に表示されたアイコンの中から選択された未登録のショートカットアイコン（空アイコン）と、当該空アイコンに対して登録可能な設定項目の一覧の中から選択された設定項目と、を対応付け、対応付け情報（後述する対応付けテーブル）を記憶部２５などに保存して登録する。
【００３４】
表示制御部２１ｂは、表示操作部２８に、機能の設定項目を設定可能に表示する設定領域と、ショートカットアイコンを選択可能に表示するアイコン表示領域と、を含む画面（メニュー画面やコピー画面、スキャン画面など）を表示し、アイコン表示領域に、登録済みのショートカットアイコンに加えて、未登録のショートカットアイコン（空アイコン）を表示する。また、表示制御部２１ｂは、上記画面において、表示操作部２８から出力される信号に基づいて、アイコン表示領域の空アイコンが選択されたかを判断し、空アイコンが選択されたら、上記画面に、当該空アイコンに登録可能な設定項目の一覧を表示する。そして、選択された空アイコンに、一覧の中から選択された設定項目を識別可能にする情報（文字列や画像）を付加する。
【００３５】
なお、上記登録部２１ａ、表示制御部２１ｂはハードウェアとして構成してもよいし、制御部２１を登録部２１ａ、表示制御部２１ｂとして機能させるショートカットアイコン登録制御プログラムとして構成し、当該ショートカットアイコン登録制御プログラムをＣＰＵ２２に実行させるようにしてもよい。
【００３６】
記憶部２５は、ＨＤＤやＳＳＤなどで構成され、ＣＰＵ２２が各部を制御するためのプログラム、プログラムの実行に必要なデータ、クライアント装置１０から取得した印刷ジョブ、アイコンと画面の種類と設定項目とを対応付ける対応付けテーブルなどを記憶する。
【００３７】
ネットワークＩ／Ｆ部２６は、ＮＩＣやモデムなどで構成され、画像形成装置２０を通信ネットワーク４０に接続し、クライアント装置１０から印刷ジョブを受信可能にする。
【００３８】
ＦＡＸ送受信部２７は、ＩＴＵ−Ｔ（International Telecommunication Union-Telecommunication）勧告Ｔ．３０で規定される、PhaseＡ〜Ｅの５つのフェーズのＦＡＸ通信制御シーケンスに従い、公衆回線網（ＰＳＮＴ：Public Switched Telephone Networks）を介して、相手方のＦＡＸ通信装置とのＦＡＸ通信を行う。
【００３９】
表示操作部２８は、ＬＣＤや有機ＥＬディスプレイなどの表示部上に透明電極が格子状に配置された感圧式や静電容量式の操作部（タッチセンサ）を設けたタッチパネルなどであり、画像形成装置２０の機能に関する各種画面を表示し、画像形成装置２０の機能に関する各種操作を可能にする。なお、ここでは、表示部と操作部とが一体となった構成としているが、表示部と操作部とは別々の装置としてもよい。
【００４０】
画像処理部２９は、ＲＩＰ（Raster Image Processor）を備え、印刷ジョブを解析して中間データを生成し、レンダリングを行ってラスターデータを生成する（この一連の処理をラスタライズ処理と呼ぶ。）。
【００４１】
画像読取部（スキャナ）３０は、原稿台上に載置された原稿から画像データを光学的に読み取る部分であり、原稿を走査する光源と、原稿で反射された光を電気信号に変換するＣＣＤ（Charge Coupled Devices）等のイメージセンサと、電気信号をＡ／Ｄ変換するＡ／Ｄ変換器等により構成される。
【００４２】
画像形成部３１は、電子写真方式や静電記録方式等の作像プロセスを利用した画像形成のために必要な要素、すなわち、帯電装置、感光体ドラム、露光装置、転写ローラ、転写ベルト、定着装置などで構成される。具体的には、帯電装置により帯電された感光体ドラムに露光装置から画像データに応じた光を照射して静電潜像を形成し、現像装置で帯電したトナーを付着させて現像し、そのトナー像を一次転写ローラ、二次転写ベルトを介して紙媒体に転写して定着装置で定着させる処理を行う。
【００４３】
後処理部３２は、画像形成部３１から搬送される用紙に対して、制御部２１からの指示に従って、パンチ、ステープル、折り、断裁、製本、糊による貼り付けなどのユーザが希望するフィニッシング処理を加えて出力する。
【００４４】
なお、図１乃至図４は、本実施例の印刷システムの一例であり、各装置の構成や制御は適宜変更可能である。例えば、図４では、画像形成装置２０にＦＡＸ送受信部２７や後処理部３２を設けたが、これらは省略してもよい。また、上記では、画像形成装置２０に備える機能に対して画像形成装置２０の画面でショートカットアイコンを登録する構成としたが、画像形成装置２０に備える機能に対してクライアント装置１０で動作するプリンタドライバ１１ｃの印刷設定画面やコントローラ５０の設定画面でショートカットアイコンを登録することもでき、その場合は、クライアント装置１０の制御部１１やコントローラ５０の制御部を、登録部及び表示制御部として機能させる（クライアント装置１０のＣＰＵ１２やコントローラ５０の制御部を構成するＣＰＵにショートカットアイコン登録制御プログラムを実行させる）ようにすればよい。
【００４５】
以下、本実施例の画像形成装置２０の基本動作について、画面例を参照しながら説明する。ＣＰＵ２２は、ＲＯＭ２３又は記憶部２５に記憶したショートカットアイコン登録制御プログラムをＲＡＭ２４に展開して実行することにより、図５のフローチャート図に示す各ステップの処理を実行する。
【００４６】
図５に示すように、制御部２１（表示制御部２１ｂ）は、表示操作部２８から出力される信号に基づいて、アイコン表示領域の空アイコンが選択されたかを判断し（Ｓ１０１）、空アイコンが選択されたら（Ｓ１０１のＹｅｓ）、選択された空アイコンに対してショートカット登録可能な設定項目の一覧を表示する（Ｓ１０２）。
【００４７】
図６は、画像形成装置２０の表示操作部２８に表示される画面６０（例えばメニュー画面）の一例であり、この画面６０には、機能の設定項目を設定可能に表示する設定領域６１と共に、アイコンを表示するアイコン表示領域６２が表示され、アイコン表示領域６２には、登録済みアイコン６３（ここでは、文字や画像が付加された５行２列の１０個のアイコン）に加えて空アイコン６４（ここでは、文字や画像が付加されていない２行２列の４個のアイコン）とが表示される。この状態において、いずれかの空アイコン６４が選択（タッチパネルの場合はタッチ）されると、画面６０上（ここでは設定領域６１内）に空アイコン６４に対して登録可能な設定項目を一覧表示する一覧画面６５が表示される。なお、設定領域６１やアイコン表示領域６２は図の構成に限定されない。また、アイコン表示領域６２に表示されるアイコンの数や形状も図の構成に限定されず、少なくとも１つの空アイコン６４が表示可能であればよい。
【００４８】
次に、制御部２１（登録部２１ａ）は、表示操作部２８から出力される信号に基づいて、一覧の中から設定項目が選択されたかを判断し（Ｓ１０３）、設定項目が選択されたら（Ｓ１０３のＹｅｓ）、空アイコンにショートカット登録を行う（Ｓ１０４）。例えば、図７に示すように、一覧画面６５の中から所望の設定項目（ここでは「コピー」）が選択されると、選択された空アイコン６４と一覧画面６５の中から選択された設定項目とが対応付けて登録される。
【００４９】
そして、制御部２１（表示制御部２１ｂ）は、空アイコンの表示を、登録された設定項目に変更する（Ｓ１０５）。例えば、図８に示すように、選択した空アイコン６４に、一覧画面６５の中から選択された設定項目を識別可能にする情報（ここでは「コピー」の文字列）が付加される。
【００５０】
このように、アイコン表示領域６２に、登録済みアイコン６３に加えて空アイコン６４を選択可能に表示し、空アイコン６４が選択されたら、当該空アイコン６４に登録可能な設定項目の一覧を表示することにより、ショートカットアイコンを登録するための設定画面やショートカット登録したい画面に遷移する必要がなくなるため、手間をかけずにショートカット登録を行うことができる。
【実施例２】
【００５１】
次に、本発明の第２の実施例に係る制御装置、ショートカットアイコン登録方法及びショートカットアイコン登録制御プログラムについて、図９乃至図１３を参照して説明する。図９は、本実施例の画像形成装置の動作を示すフローチャート図であり、図１０乃至図１３は、本実施例の画像形成装置に表示される画面の一例である。
【００５２】
前記した第１の実施例では、本発明のショートカットアイコン登録方法の基本動作について説明したが、特定の機能の画面が表示されている時に空アイコンが選択された場合、空アイコンに対して上記特定の機能に関する設定項目が選択される蓋然性が高いことから、本実施例では、空アイコンが選択された時に表示される画面の種類に応じて、一覧画面に表示する機能の設定項目を動的に変更する。
【００５３】
その場合、印刷システムの構成は第１の実施例と同様であるが、画像形成装置２０の制御部２１（表示制御部２１ｂ）は、空アイコンが選択された時に表示されている画面の種類に応じて、一覧に表示する設定項目を動的に変更する。例えば、画面の種類に基づいて、空アイコンに登録可能な設定項目の中から一部の設定項目を抽出し、抽出した設定項目を一覧画面に表示する。また、空アイコンに登録可能な設定項目の一覧に、空アイコンが選択された時に表示されている画面に応じた設定項目と、画面によらずに登録可能な設定項目と、を表示する。
【００５４】
以下、本実施例の画像形成装置２０の動作について、画面例を参照しながら説明する。ＣＰＵ２２は、ＲＯＭ２３又は記憶部２５に記憶したショートカットアイコン登録制御プログラムをＲＡＭ２４に展開して実行することにより、図９のフローチャート図に示す各ステップの処理を実行する。なお、図５のフローチャート図に示す全体動作は第１の実施例と同様であるため、説明を省略し、図５のＳ１０２の設定項目の一覧表示処理の詳細について説明する。
【００５５】
［設定項目の一覧表示処理］
図９に示すように、制御部２１（表示制御部２１ｂ）は、空アイコンが選択された時に表示していた画面を特定する（Ｓ２０１）。次に、制御部２１（表示制御部２１ｂ）は、特定した画面に対応付けられている（特定した画面で設定する機能に関する）設定項目（機能別設定項目と呼ぶ。）を取得し（Ｓ２０２）、続いて、空アイコンが選択された時に表示していた画面に関わらずに表示する設定項目（共通設定項目と呼ぶ。）を取得する（Ｓ２０３）。そして、制御部２１（表示制御部２１ｂ）は、機能別設定項目と共通設定項目とを選択肢として、ショートカット登録ができる設定項目の一覧を表示する（Ｓ２０４）。
【００５６】
図１０は、コピー画面６６の一例であり、このコピー画面６６には、第１の実施例と同様に、コピー機能の設定項目を設定可能に表示する設定領域６１と共に、アイコンを表示するアイコン表示領域６２が表示され、アイコン表示領域６２には、登録済みアイコン６３（ここでは、１１個のアイコン）と空アイコン６４（ここでは３個のアイコン）とが表示される。この状態において、いずれかの空アイコン６４が選択されると、図１１に示すように、コピー画面６６上（ここでは設定領域６１内）に空アイコン６４に対して登録可能な設定項目の一覧を示す一覧画面６５が表示される。
【００５７】
ここで、一覧画面６５には、空アイコン６４に対して登録可能な設定項目として、空アイコン６４を選択した時に表示されているコピー画面６６に対応付けけられている機能別設定項目６５ａ（ここでは、「確認コピー」と「排紙トレイ設定」）と、空アイコン６４を選択した時に表示されている画面に関わらずに表示する共通設定項目６５ｂ（ここでは、「ＣＯＰＹ」と「ＳＣＡＮ」と「ＢＯＸ」）と、が表示される。
【００５８】
そして、図１２に示すように、一覧画面６５の中から所望の設定項目（ここでは「排紙トレイ設定」）を選択すると、選択された空アイコン６４と一覧画面６５の中から選択された設定項目とが対応付けられ、図１３に示すように、選択した空アイコン６４に、一覧画面６５の中から選択された設定項目を識別可能にする情報（ここでは「排紙トレイ設定」の文字列）が表示される。
【００５９】
このように、空アイコン６４を選択した時に表示されている画面の種類に応じて、一覧画面６５に表示する設定項目を動的に変更することにより、ユーザが所望する設定項目を容易にショートカット登録することができ、ユーザの利便性を向上させることができる。
【実施例３】
【００６０】
次に、本発明の第３の実施例に係る制御装置、ショートカットアイコン登録方法及びショートカットアイコン登録制御プログラムについて、図１４乃至図２２を参照して説明する。図１４及び図１５は、本実施例の画像形成装置の動作を示すフローチャート図であり、図１６は、アイコン配置図の一例、図１７及び図２２は、アイコンと画面の種類と設定項目とを対応付けるテーブルの一例である。また、図１８乃至図２１は、本実施例の画像形成装置に表示される画面の一例である。
【００６１】
前記した第２の実施例では、コピー画面６６が表示されている時に、空アイコン６４にコピー機能に関連する「排紙トレイ設定」を登録したが、この「排紙トレイ設定」は、他の機能の画面を表示しているときに使用される可能性は低く、アイコン表示領域６２にアイコンを無駄に表示することになる。そこで、本実施例では、表示される画面に応じて、登録済みアイコン６３を動的に変更する。
【００６２】
その場合、印刷システムの構成は第１の実施例と同様であるが、画像形成装置２０の制御部２１（登録部２１ａ）は、一覧画面で選択された設定項目をショートカット登録する際に、空アイコンが選択された時に表示していた画面を特定し、当該画面に関連付けて、選択された設定項目をショートカット登録する。すなわち、制御部２１（登録部２１ａ）は、対応付けテーブルに、アイコンと画面の種類と設定項目とを対応付けて登録する。
【００６３】
また、画像形成装置２０の制御部２１（表示制御部２１ｂ）は、機能に対応する画面毎に、アイコン表示領域に表示するアイコンを変更する。例えば、所定の機能の設定項目に対応付けて登録されたアイコンは、所定の機能に対応する画面が表示されている時は、登録済みのアイコンとして表示し、所定の機能以外の機能に対応する画面が表示されている時は、未登録のアイコン（空アイコン）として表示する。
【００６４】
以下、本実施例の画像形成装置２０の動作について、画面例を参照しながら説明する。ＣＰＵ２２は、ＲＯＭ２３又は記憶部２５に記憶したショートカットアイコン登録制御プログラムをＲＡＭ２４に展開して実行することにより、図１４及び図１５のフローチャート図に示す各ステップの処理を実行する。なお、図５のフローチャート図に示す全体動作は第１の実施例と同様であるため、説明を省略し、図５のＳ１０４の空アイコンのショートカット登録処理の詳細に関して、図１４のフローチャート図を参照して説明する。
【００６５】
［ショートカット登録処理］
図１４に示すように、制御部２１（登録部２１ａ）は、選択された設定項目が共通設定項目であるかを判断する（Ｓ３０１）。選択された設定項目が共通設定項目の場合は（Ｓ３０１のＹｅｓ）、制御部２１（登録部２１ａ）は、画面共通として、選択された設定項目をショートカット登録する（Ｓ３０２）。一方、選択された設定項目が共通設定項目でない場合は（Ｓ３０１のＮｏ）、制御部２１（登録部２１ａ）は、空アイコンが選択された時に表示していた画面を特定し（Ｓ３０３）、特定した画面に対応付けて、選択された設定項目をショートカット登録する（Ｓ３０４）。
【００６６】
例えば、第２の実施例のように、コピー画面６６が表示されている時に、一覧画面６５の中から「排紙トレイ設定」が選択された場合、選択された空アイコン６４と空アイコン６４を選択した時に表示されている画面の種類（コピー画面６６）と一覧画面６５の中から選択された設定項目とが対応付けられて登録される。
【００６７】
図１６は、アイコン配置図の一例であり、図１７は、空アイコン６４に「排紙トレイ設定」が対応付けられた状態における、アイコンと画面の種類と設定項目とを対応付ける対応付けテーブルの一例である。Ｎｏ．１及びＮｏ．２のアイコンには、各々、空アイコン６４を選択した時に表示していた画面に関わらずに表示する共通設定項目として、「機械状態」、「ジョブリスト」が登録され、Ｎｏ．１３のアイコンには、空アイコン６４を選択した時に表示されていたコピー画面６６に対応付けられている機能別設定項目として「排紙トレイ設定」が登録される。
【００６８】
次に、このような対応付けテーブルが登録された後に、画面が遷移した場合のアイコン表示の切り替え処理について、図１５のフローチャート図を参照して説明する。
【００６９】
［アイコン表示の切り替え処理］
図１５に示すように、制御部２１（表示制御部２１ｂ）は、表示操作部２８から出力される信号に基づいて、画面が遷移したかを判断する（Ｓ４０１）。画面が遷移した場合は（Ｓ４０１のＹｅｓ）、制御部２１（表示制御部２１ｂ）は、上記フローで登録された対応付けテーブルを参照して、画面に対応付けられたアイコンがあるかを判断し（Ｓ４０２）、画面に対応付けられたアイコンがない場合は（Ｓ４０２のＮｏ）、一連の処理を終了する。
【００７０】
一方、画面に対応付けられたアイコンがある場合は（Ｓ４０２のＹｅｓ）、制御部２１（表示制御部２１ｂ）は、遷移した画面に対応付けられた設定項目にアイコンを変更し（Ｓ４０３）、遷移前の画面では設定項目に対応付けられていたが、遷移後の画面では設定項目に対応付けられていないアイコンは空アイコンに変更する（Ｓ４０４）。
【００７１】
図１８は、コピー画面６６で空アイコン６４に「排紙トレイ設定」を登録した後に遷移したスキャン画面６７の一例である。このスキャン画面６７にも、スキャン機能の設定項目を設定可能に表示する設定領域６１と共に、アイコンを表示するアイコン表示領域６２が表示され、アイコン表示領域６２には、登録済みアイコン６３と空アイコン６４とが表示される。ここで、図１３のコピー画面６６で、Ｎｏ．１３のアイコンに「排紙トレイ設定」を登録したが、スキャン機能では「排紙トレイ設定」のアイコンは不要なため、スキャン画面６７を表示する際に、Ｎｏ．１３のアイコンは空アイコン６４として表示される。すなわち、アイコン表示領域６２の登録済みアイコン６３を、表示されている画面に応じて動的に変更する。
【００７２】
その後、図１９に示すように、Ｎｏ．１３の空アイコン６４を選択すると、図２０に示すように、スキャン画面６７上（ここでは設定領域６１内）に空アイコン６４に対して登録可能な設定項目の一覧を示す一覧画面６５が表示される。この一覧画面６５には、コピー画面６６の場合と同様に、空アイコン６４に対して登録可能な機能として、空アイコン６４を選択した時に表示されているスキャン画面６７に対応付けられている機能別設定項目（ここでは、「ＰＤＦ／ＪＰＥＧ選択」と「宛先設定」）と、空アイコン６４を選択した時に表示している画面に関わらずに表示する共通設定項目（ここでは、「ＣＯＰＹ」と「ＳＣＡＮ」と「ＢＯＸ」）と、が表示される。
【００７３】
この一覧画面６５の中から所望の設定項目（ここでは「宛先設定」）を選択すると、選択された空アイコン６４と空アイコン６４の選択時に表示されていた画面（スキャン画面６７）と一覧画面６５の中から選択された設定項目（「宛先設定」）とが対応付けられ、図２１に示すように、選択された空アイコン６４に、選択された設定項目を識別可能にする情報（ここでは「宛先設定」の文字列）が表示される。そして、図２２に示す対応付けテーブルにおいて、図１６のアイコン配置図に示すＮｏ．１及びＮｏ．２のアイコンには、図１７と同様に、各々、空アイコン６４を選択した時に表示していた画面に関わらずに表示する機能として、「機械状態」、「ジョブリスト」が登録されるが、Ｎｏ．１３のアイコンには、コピー画面６６に対応付けて「排紙トレイ設定」が登録され、スキャン画面６７に対応付けて「宛先設定」が登録される。すなわち、アイコン表示領域６２の同じ位置に表示されるアイコンであっても、画面毎に対応付けられる設定項目が動的に変更される。
【００７４】
このように、機能に対応する画面毎に、アイコン表示領域６２に表示するアイコンを変更する（登録済みアイコン６３を空アイコン６４として表示したり、登録済みアイコン６３の表示を変更したりする）ことにより、画面に応じたアイコンを適切に表示することができ、ユーザの利便性を向上させることができる。
【実施例４】
【００７５】
次に、本発明の第４の実施例に係る制御装置、ショートカットアイコン登録方法及びショートカットアイコン登録制御プログラムについて、図２３及び図２４を参照して説明する。図２３及び図２４は、本実施例の画像形成装置に表示される画面の一例である。
【００７６】
前記した第２の実施例では、一覧画面６５に、空アイコン６４に対して登録可能な設定項目として、空アイコン６４を選択した時に表示されている画面に対応付けられている設定項目を表示したが、空アイコン６４を登録する際に、ユーザは使い勝手を考えて、空アイコン６４近傍の登録済みアイコン６３に関連する設定項目を登録する場合が多い。そこで、本実施例では、空アイコン６４が選択された時に一覧画面６５に表示する設定項目として、空アイコン６４近傍の登録済みアイコン６３に登録されている設定項目に関連する設定項目を表示する。
【００７７】
その場合、印刷システムの構成は第１の実施例と同様であるが、画像形成装置２０の制御部２１（表示制御部２１ｂ）は、空アイコン６４に登録可能な設定項目の一覧を表示する際に、選択された空アイコン６４の近傍に表示されている登録済みアイコン６３に対応付けて登録されている設定項目に関連する設定項目を優先的に表示する。
【００７８】
このショートカットアイコンの登録制御について、画面例を参照して説明する。
【００７９】
図２３は、スキャン画面６７の一例である。このスキャン画面６７のアイコン表示領域６２の中から空アイコン６４を選択すると、図２４に示すように、スキャン画面６７上（ここでは設定領域６１内）に空アイコン６４に対して登録可能な設定項目の一覧を示す一覧画面６５が表示される。
【００８０】
ここで、前記した第２及び第３の実施例では、この一覧画面６５には、空アイコン６４を選択した時に表示されているスキャン画面６７に対応付けられている機能別設定項目（「ＰＤＦ／ＪＰＥＧ選択」や「宛先設定」）と、空アイコン６４を選択した時に表示されている画面に関わらずに表示する共通設定項目（「ＣＯＰＹ」と「ＳＣＡＮ」と「ＢＯＸ」）と、を表示したが、本実施例では、選択した空アイコン６４の近傍に「コピー」の登録済みアイコン６３があるため、コピー機能に関連する設定項目として、「確認コピー」と「排紙トレイ設定」を表示する。
【００８１】
このように、空アイコン６４の選択時の設定項目として、空アイコン６４の近傍の登録済みアイコン６３に登録された設定項目に関連する設定項目を表示することにより、所望の設定項目を迅速にアイコンに登録することができ、ユーザの利便性を向上させることができる。
【００８２】
なお、本発明は上記実施例に限定されるものではなく、本発明の趣旨を逸脱しない限りにおいて、その構成や制御は適宜変更可能である。
【００８３】
例えば、上記各実施例では、画像形成装置２０でショートカットアイコンを登録する場合について記載したが、クライアント装置１０で動作するプリンタドライバ１１ｃの印刷指示画面やコントローラ５０の設定画面でショートカットアイコンを登録する場合に対しても、本発明のショートカットアイコン登録方法を同様に適用することができる。
【００８４】
また、上記各実施例では、印刷に関する機能に対してショートカットアイコンを登録する場合について記載したが、画面を遷移して設定を行う任意の機能に対して、本発明のショートカットアイコン登録方法を同様に適用することができる。
【産業上の利用可能性】
【００８５】
本発明は、画面を遷移して複数の機能の設定項目を設定する制御装置、機能の設定項目に対応する画面への遷移を指示するショートカットアイコンを登録するショートカットアイコン登録方法、ショートカットアイコンの登録を制御するショートカットアイコン登録制御プログラム及び当該ショートカットアイコン登録制御プログラムを記録した記録媒体に利用可能である。
【符号の説明】
【００８６】
１０  クライアント装置
１１  制御部
１１ａ  ＯＳ
１１ｂ  アプリケーション
１１ｃ  プリンタドライバ
１２  ＣＰＵ
１３  ＲＯＭ
１４  ＲＡＭ
１５  記憶部
１６  ネットワークＩ／Ｆ部
１７  表示部
１８  操作部
２０  画像形成装置
２１  制御部
２１ａ  登録部
２１ｂ  表示制御部
２２  ＣＰＵ
２３  ＲＯＭ
２４  ＲＡＭ
２５  記憶部
２６  ネットワークＩ／Ｆ部
２７  ＦＡＸ送受信部
２８  表示操作部
２９  画像処理部
３０  画像読取部
３１  画像形成部
３２  後処理部
４０  通信ネットワーク
５０  コントローラ
６０  画面
６１  設定領域
６２  アイコン表示領域
６３  登録済みアイコン
６４  空アイコン
６５  一覧画面
６５ａ  機能別設定項目
６５ｂ  共通設定項目
６６  コピー画面
６７  スキャン画面
【図１】
2019070937.tif 000003
【図２】
2019070937.tif 000004
【図３】
2019070937.tif 000005
【図４】
2019070937.tif 000006
【図５】
2019070937.tif 000007
【図６】
2019070937.tif 000008
【図７】
2019070937.tif 000009
【図８】
2019070937.tif 000010
【図９】
2019070937.tif 000011
【図１０】
2019070937.tif 000012
【図１１】
2019070937.tif 000013
【図１２】
2019070937.tif 000014
【図１３】
2019070937.tif 000015
【図１４】
2019070937.tif 000016
【図１５】
2019070937.tif 000017
【図１６】
2019070937.tif 000018
【図１７】
2019070937.tif 000019
【図１８】
2019070937.tif 000020
【図１９】
2019070937.tif 000021
【図２０】
2019070937.tif 000022
【図２１】
2019070937.tif 000023
【図２２】
2019070937.tif 000024
【図２３】
2019070937.tif 000025
【図２４】
2019070937.tif 000026